【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
血管を通る血流を増大させるため、血栓を除去するデバイスであって、
近位端部および遠位端部を有する外側チューブであって、前記チューブが、マイクロカテーテルの中に摺動自在に配置されるような大きさであり、前記チューブが、前記遠位端部に隣接する拡張可能部材を有する、前記外側チューブと、
前記外側チューブの中に摺動自在に配置されている押し込み／引っ張りワイヤであって、前記ワイヤが、近位端部および遠位端部を有し、前記ワイヤが、身体の外側から作動されるように構成され、前記ワイヤが、前記拡張可能部材の前記遠位端部において前記拡張可能部材に結合されており、
前記ワイヤを引っ張って前記ワイヤを前記チューブに対して軸方向に変位させることによって前記ワイヤの前記近位端部に軸方向の力成分が印加されたときに、前記拡張可能部材が、より大きな第１の直径まで直径を増大させて、血管壁に対して血栓が圧縮されることによって前記拡張可能部材が軸方向に固定的に血栓と係合するのに十分な半径方向の力をかけるように構成されており、前記半径方向の力が、前記拡張可能部材の前記血管壁との過度な係合を回避するため制限されている、前記押し込み／引っ張りワイヤと、
を備えている、デバイス。
【請求項２】
前記軸方向の力成分が、前記ワイヤの近位端部に位置しかつ前記ワイヤに結合されているばねによって提供される、
請求項１に記載のデバイス。
【請求項３】
前記拡張可能部材が、自然な状態の直径から、直径を増大させるように構成されている、
請求項１に記載のデバイス。
【請求項４】
前記ワイヤを押すことによって前記ワイヤの前記近位端部に軸方向の力成分が印加されたとき、前記拡張可能部材が、直径を減少させるように構成されている、
請求項１〜３のいずれかに記載のデバイス。
【請求項５】
前記拡張可能部材が、ワイヤと接触している最大に圧縮される血栓部分に第１の係合力を印加することによって、血管内で血栓を分岐的に圧縮するように構成されている複数のワイヤを備えており、
前記第１の係合力が、前記最大に圧縮される血栓部分に作用する前記半径方向の力成分を備えており、
引込み時、前記ワイヤが、軸方向の力成分をさらに印加し、
前記半径方向の力成分と前記軸方向の力成分とが合わさって第１の移動係合力を構成する、
請求項１〜４のいずれかに記載のデバイス。
【請求項６】
前記ワイヤに接触している、最大に圧縮される血栓部分の間の、あまり圧縮されていない血栓部分が、傾斜角に従って前記血管の中心軸線に向かって内側に弧を描く構成において、前記拡張可能部材が、前記血栓を不均一に圧縮するように拡張し、
前記傾斜角を維持する、または増大させる目的で、前記拡張可能部材が、前記第１の直径よりも大きい第２の直径まで拡張するようにさらに構成されている、
請求項５に記載のデバイス。
【請求項７】
前記拡張可能部材が、最大に拡張した状態において直径約６ｍｍに拡張するように構成されている、
請求項６に記載のデバイス。
【請求項８】
前記ワイヤが、拡張時に前記血栓に切り込まないように構成されており、したがって前記拡張可能部材の拡張時に前記傾斜角が維持される、または増大する、
請求項６に記載のデバイス。
【請求項９】
前記拡張可能部材が、前記自然な状態において、近位端部と遠位端部との間に形成される連続的に湾曲した輪郭を有する、
請求項６に記載のデバイス。
【請求項１０】
合計で８本のワイヤが織り込まれて前記拡張可能部材が形成されており、
縦方向に交差した前記ワイヤの間の軸方向距離が、前記拡張可能部材が直径２ｍｍに拡張したとき約３.５ｍｍであり、
縦方向に交差した前記ワイヤの間の軸方向距離が、前記拡張可能部材が直径４ｍｍに拡張したとき約２.４ｍｍである、
請求項９に記載のデバイス。
【請求項１１】
合計で１６本のワイヤが織り込まれて前記拡張可能部材が形成されており、
縦方向に交差した前記ワイヤの間の軸方向距離が、前記拡張可能部材が直径２ｍｍに拡張したとき約１.７ｍｍであり、
縦方向に交差した前記ワイヤの間の軸方向距離が、前記拡張可能部材が直径４ｍｍに拡張したとき約１.２ｍｍである、
請求項９に記載のデバイス。
【請求項１２】
合計で２４本のワイヤが織り込まれて前記拡張可能部材が形成されており、
縦方向に交差した前記ワイヤの間の軸方向距離が、前記拡張可能部材が直径２ｍｍに拡張したとき約１.１ｍｍであり、
縦方向に交差した前記ワイヤの間の軸方向距離が、前記拡張可能部材が直径４ｍｍに拡張したとき約０.８ｍｍである、
請求項９に記載のデバイス。
【請求項１３】
拡張可能部材の直径に対する引っ張りワイヤの作動距離の比が、前記第１の直径における約０.４から最大直径における２.８の範囲内である、
請求項９に記載のデバイス。
【請求項１４】
前記軸方向の力と前記半径方向の力が線形関係を表し、前記半径方向の力成分が、前記第１の移動係合力の大部分を備えている、
請求項５に記載のデバイス。
【請求項１５】
2015506754.tif 000001
【請求項１６】
前記拡張可能部材のワイヤが、コイル状かつ織り込まれており、自然な状態の直径において血管直径の約１／３〜１／２まで拡張するように構成されている、
請求項３に記載のデバイス。
【請求項１７】
前記ばねにあらかじめ負荷をかけることによって、前記ばねが、前記拡張可能部材によって前記血栓に印加される軸方向の力が調整される、いくつかのばね−力位置を提供する、
請求項２に記載のデバイス。
【請求項１８】
前記血栓との係合を維持するために前記血管直径の大きさが増大するにつれて、前記拡張可能部材によってかけられる半径方向の力の大きさが増大し、または維持される、
請求項１〜１７のいずれかに記載のデバイス。
【請求項１９】
前記半径方向の力が、一定の力である、
請求項１に記載のデバイス。
【請求項２０】
前記半径方向の力が、一定ではない力である、
請求項１に記載のデバイス。
【請求項２１】
前記チューブを引っ張ることによって前記チューブの前記近位端部に軸方向の力成分が印加されたとき、前記拡張可能部材が、直径を減少させるように構成されている、
請求項１〜２０のいずれかに記載のデバイス。
【請求項２２】
変位センサが、前記外側チューブと前記ワイヤの間に取り付けられている、
請求項１〜２１のいずれかに記載のデバイス。
【請求項２３】
チューブの形をしたストッパが、前記ワイヤ上に構成されており、前記ストッパが、前記拡張可能部材を所定の直径に拡張制限させるため前記ワイヤの動きを制限する、
請求項１〜２２のいずれかに記載のデバイス。
【請求項２４】
クラッチが、前記外側チューブと前記ワイヤの間に位置している、
請求項１に記載のデバイス。
【請求項２５】
前記拡張可能部材の遠位端部が、前記血栓を突き通すように構成されている、
請求項１〜２４のいずれかに記載のデバイス。
【請求項２６】
当該デバイスが、放射線不透過性ワイヤを備えている、
請求項１〜２５のいずれかに記載のデバイス。
【請求項２７】
前記押し込み／引っ張りワイヤが、拡張を触覚的にコントロールするため力を徐々に変化させることができるように、使用者が手動で作動させるように構成されている、
請求項１〜２６のいずれかに記載のデバイス。
【請求項２８】
患者の血管から血栓を除去するカテーテルシステムであって、
近位端部と、遠位端部と、これらの間の管腔とを有するマイクロカテーテルと、
近位端部および遠位端部を有する外側チューブと、
前記外側チューブの前記遠位端部付近に配置されている拡張可能部材であって、前記拡張可能部材が前記血管内で前記マイクロカテーテルから遠位方向に解放可能であるように、前記外側チューブの前記遠位端部が、前記マイクロカテーテルの前記管腔の中に摺動自在に受け入れ可能である、前記拡張可能部材と、
前記外側チューブの中に摺動自在に配置されている押し込み／引っ張りワイヤであって、前記ワイヤが、身体の外側から作動されるように構成され、前記ワイヤが、前記遠位端部において前記拡張可能部材に結合されており、
前記ワイヤを引っ張ることによって前記ワイヤの前記近位端部に軸方向の力成分が印加されたときに、前記拡張可能部材が、より大きな第１の直径まで直径を増大させて、血管壁に対して血栓が圧縮されることによって前記拡張可能部材が軸方向に固定的に血栓と係合するのに十分な半径方向の力をかけるように構成されており、前記半径方向の力が、前記拡張可能部材の前記血管壁との過度な係合を回避するため制限されている、前記押し込み／引っ張りワイヤと、
を備えている、カテーテルシステム。
【請求項２９】
前記ワイヤが、前記チューブに対して軸方向に変位可能である、
請求項２８に記載のカテーテルシステム。